(57)【要約】【課題】複数のチャネルを用いて通信を行う通信方式についても、時系列に正確であって必要十分なログを収集することができる無線通信ログ収集システム、及び及び当該システムで用いられる無線装置を提供する。【解決手段】無線通信ログ収集システム１は、無線によって通信を行う無線装置（監視対象無線装置）の通信状況を示すログを収集するシステムであって、複数のチャネルを介して行われる監視対象無線装置の通信の内容をチャネル毎に個別に受信し、受信したチャネルの通信状況を示すログを、通信の内容を受信した時刻を示す時刻情報を付して出力する複数の無線装置１０ａ〜１０ｎと、無線装置１０ａ〜１０ｎの各々から出力されるログを収集するログ収集装置２０とを備える。【選択図】図１
2010193283.tif 000002
【特許請求の範囲】
【請求項１】
無線によって通信を行う無線装置の通信状況を示すログを収集する無線通信ログ収集システムにおいて、
複数のチャネルを介して行われる前記無線装置の通信の内容をチャネル毎に個別に受信し、受信したチャネルの通信状況を示すログを、前記通信の内容を受信した時刻を示す時刻情報を付して出力する複数の受信用無線装置と、
前記受信用無線装置の各々から出力される前記ログを収集するログ収集装置と
を備えることを特徴とする無線通信ログ収集システム。
【請求項２】
前記複数の受信用無線装置は、前記ログに付す前記時刻情報の管理を同期信号に基づいて行う時刻情報管理部をそれぞれ備えることを特徴とする請求項１記載の無線通信ログ収集システム。
【請求項３】
前記複数の受信用無線装置のうちの何れか１つは、他の受信用無線装置に対して前記同期信号を出力することを特徴とする請求項２記載の無線通信ログ収集システム。
【請求項４】
前記ログ収集装置は、前記複数の受信用無線装置に対して前記同期信号を出力することを特徴とする請求項２記載の無線通信ログ収集システム。
【請求項５】
前記複数の受信用無線装置の各々は、複数の通信規格で用いられる複数のチャネルのうちの１つを選択可能であることを特徴とする請求項１から請求項４の何れか一項に記載の無線通信ログ収集システム。
【請求項６】
無線によって通信を行う無線装置の通信の内容を受信し、当該無線装置の通信状況を示すログを出力する受信用の無線装置において、
複数のチャネルを介して行われる前記無線装置の通信の内容のうち、何れか１つのチャネルを介して行われる通信の内容を受信する無線部と、
前記無線部で受信されるチャネルの通信状況を示し、前記通信の内容を受信した時刻を示す時刻情報が付されたログを作成する作成部と、
同期信号に基づいて前記ログに付される前記時刻情報を管理する時刻情報管理部と
を備えることを特徴とする無線装置。
【発明の詳細な説明】
【技術分野】
【０００１】
本発明は、無線によって通信を行う無線装置の通信状況を示すログを収集する無線通信ログ収集システム、及び当該システムで用いられる無線装置に関する。
【背景技術】
【０００２】
無線装置の開発段階又は設置段階においては、無線装置の実際の通信状況を示すログを収集し、その内容を確認する作業が行われる。この作業は、無線装置が正常に動作するかを確認するために行われる極めて重要な作業である。無線装置の通信に影響を及ぼすことなくその通信状況を示すログを収集する方法の１つに、ログの収集対象である無線装置で通信されるデータを、その無線装置以外の無線装置を用いて受信（キャプチャ）する方法がある。
【０００３】
この方法で無線装置の通信状況を示すログを収集する場合には、例えばキャプチャ用の無線装置とパーソナルコンピュータ等で実現されるログ収集装置とを通信ケーブルで接続した無線通信ログ収集システムが用いられる。このシステムを用いてログを収集する場合には、まずキャプチャ用の無線装置に対してキャプチャするチャネルを設定するとともに、動作モードをプロミスキャスモードに設定する。ここで、プロミスキャスモードとは、設定されたチャネルを介して通信されるデータを、その宛先に拘わらず全て受信するモードである。
【０００４】
以上の設定を終えた後に、ログ収集装置から無線装置に対してキャプチャの開始指示が行われることでキャプチャが開始される。キャプチャが開始されると、キャプチャ用の無線装置でキャプチャされたログが通信ケーブルを介してログ収集装置に順次収集される。このログはログ収集装置に収集された時点のタイムスタンプが付されてログ収集装置に記録される。そして、ログ収集装置に収集されたログをタイムスタンプ順に並び替えることにより、ログの収集対象である無線装置の通信状況を時系列順に確認することができる。尚、従来の無線通信ログ収集システムの詳細については、例えば以下の非特許文献１〜３を参照されたい。
【先行技術文献】
【非特許文献】
【０００５】
【非特許文献１】“SmartRFＴＭ Packet Sniffer User Manual Rev. 1.8”，［ONLINE］，テキサス・インスツルメンツ（Texas Instruments），［平成２１年２月４日検索］，インターネット＜URL: http://focus.ti.com/lit/ug/swru187/swru187.pdf＞
【非特許文献２】“WiSensＴＭ Classic PACKET SNIFFER - IEEE 802.15.4/ZigBeeＴＭ”，［ONLINE］，ビーズィーワークス（BzWorks），［平成２１年２月４日検索］，インターネット＜http://www.bzworks.com/library/downloads/WiSens_Datasheet.pdf＞
【非特許文献３】“An advanced wireless packet sniffer can help you get the full picture of your 802.11 WLAN traffic”，［ONLINE］，タモソフト（TamoSoft），［平成２１年２月４日検索］，インターネット＜http://www.tamos.com/products/commwifi/wifi-sniffer.htm＞
【発明の概要】
【発明が解決しようとする課題】
【０００６】
ところで、上述した従来の無線通信ログ収集システムでは、予め設定されたチャネルについての通信状況を示すログのみ収集可能であり、設定したチャネル以外のチャネルについての通信状況を示すログを収集することはできない。このため、複数のチャネルを切り替えながら通信を行う通信方式、或いは同時に複数のチャネルを用いて通信を行う通信方式の場合には、開発段階又は設置段階で通信状況を確認するために必要十分なログを収集することができないという問題があった。
【０００７】
上述の複数のチャネルを切り替えながら通信を行う通信方式の１つとして、例えばＦＨＳＳ（Frequency Hopping Spread Spectrum：周波数ホッピング方式）が挙げられ、外部からのノイズによる通信への悪影響を減らすために、短い時間でデータ通信に利用するチャネルを切り替えながら通信を行う通信方式である。この方式を採用する代表的な通信規格としては、例えばBluetooth（登録商標）、IEEE802.11等が挙げられる。
【０００８】
ここで、仮にログの収集対象である無線装置についてチャネルの切り替えパターンが既知であれば、キャプチャ用の無線装置についても同様のパターンでチャネルの切り替えを行うことにより、必要となるログを収集することができるとも考えられる。しかしながら、ログの収集対象である無線装置及びキャプチャ用の無線装置の各々についてチャネルの切り替えを精確に同期させる必要があり、また、キャプチャ用の無線装置のチャネル切り替えを短時間で行う必要があるため実現は困難である。
【０００９】
また、上述の同時に複数のチャネルを用いて通信を行う通信方式とは、複数のチャネルを同時に利用することで、例えばデータの伝送速度を向上させる通信方式である。特に、メッシュ型のネットワークにおいては、特定の無線ノード間の通信に特定のチャネルを割り当てたり、制御用の情報を特定のチャネルにて送信することで、電波到達エリア内に存在する複数の無線ノードが同時に通信できる仕組みが提供される。このような無線システムの場合には、ある特定のチャネルの通信内容が他のチャネルの通信結果に影響されることがあるため、通信状況を完全に把握するには、全てのチャネルのログを収集する必要があるが、従来の無線通信ログ収集システムでは全てのチャネルのログを収集することはできない。
【００１０】
本発明は上記事情に鑑みてなされたものであり、複数のチャネルを用いて通信を行う通信方式についても、時系列に正確であって必要十分なログを収集することができる無線通信ログ収集システム、及び及び当該システムで用いられる無線装置を提供することを目的とする。
【課題を解決するための手段】
【００１１】
上記課題を解決するために、本発明の無線通信ログ収集システムは、無線によって通信を行う無線装置の通信状況を示すログを収集する無線通信ログ収集システム（１）において、複数のチャネルを介して行われる前記無線装置の通信の内容をチャネル毎に個別に受信し、受信したチャネルの通信状況を示すログを、前記通信の内容を受信した時刻を示す時刻情報を付して出力する複数の受信用無線装置（１０ａ〜１０ｎ）と、前記受信用無線装置の各々から出力される前記ログを収集するログ収集装置（２０）とを備えることを特徴としている。
この発明によると、複数のチャネルを介して行われる無線装置の通信の内容が複数の受信用無線装置でチャネル毎に個別に受信され、受信されたチャネルの通信状況を示すログが、時刻情報が付されて複数の受信用無線装置の各々から出力されてログ収集装置に収集される。
また、本発明の無線通信ログ収集システムは、前記複数の受信用無線装置が、前記ログに付す前記時刻情報の管理を同期信号（ＳＹ）に基づいて行う時刻情報管理部（１２）をそれぞれ備えることを特徴としている。
また、本発明の無線通信ログ収集システムは、前記複数の受信用無線装置のうちの何れか１つが、他の受信用無線装置に対して前記同期信号を出力することを特徴としている。
また、本発明の無線通信ログ収集システムは、前記ログ収集装置が、前記複数の受信用無線装置に対して前記同期信号を出力することを特徴としている。
また、本発明の無線通信ログ収集システムは、前記複数の受信用無線装置の各々が、複数の通信規格で用いられる複数のチャネルのうちの１つを選択可能であることを特徴としている。
本発明の無線装置は、無線によって通信を行う無線装置の通信の内容を受信し、当該無線装置の通信状況を示すログを出力する受信用の無線装置（１０ａ〜１０ｎ）において、複数のチャネルを介して行われる前記無線装置の通信の内容のうち、何れか１つのチャネルを介して行われる通信の内容を受信する無線部（１１）と、前記無線部で受信されるチャネルの通信状況を示し、前記通信の内容を受信した時刻を示す時刻情報が付されたログを作成する作成部（１３）と、同期信号に基づいて前記ログに付される前記時刻情報を管理する時刻情報管理部（１２）とを備えることを特徴としている。
【発明の効果】
【００１２】
本発明によれば、複数のチャネルを介して行われる無線装置の通信の内容を複数の受信用無線装置でチャネル毎に個別に受信し、受信したチャネルの通信状況を示すログであって受信時刻を付したログを、複数の受信用無線装置の各々から出力してログ収集装置で収集しているため、複数のチャネルを用いて通信を行う通信方式についても、時系列に正確であって必要十分なログを収集することができるという効果がある。
【図面の簡単な説明】
【００１３】
【図１】本発明の一実施形態による無線通信ログ収集システム及び無線装置の要部構成を示すブロック図である。
【図２】ログ作成部１３で作成されるログのフォーマットの一例を示す図である。
【図３】本発明の一実施形態による無線通信ログ収集システム及び無線装置の動作を示すタイミングチャートである。
【発明を実施するための形態】
【００１４】
以下、図面を参照して本発明の一実施形態による無線通信ログ収集システム及び無線装置について詳細に説明する。図１は、本発明の一実施形態による無線通信ログ収集システム及び無線装置の要部構成を示すブロック図である。図１に示す通り、本実施形態の無線通信ログ収集システム１は、通信バスＢを介して相互に接続された複数の無線装置１０ａ〜１０ｎ（受信用無線装置）とログ収集装置２０とを備えており、ログの収集対象である無線装置（図示省略）で通信されるデータを受信（キャプチャ）し、その無線装置の通信状況を示すログを収集する。
【００１５】
尚、以下では、無線通信ログ収集システム１が備える無線装置１０ａ〜１０ｎとログの収集対象である不図示の無線装置との区別を明確化するために、ログの収集対象である不図示の無線装置を「監視対象無線装置」という。また、この監視対象無線装置は、複数のチャネルを介して通信を行うものとする。具体的には、例えばＦＨＳＳのように複数のチャネルを切り替えながら通信を行い、或いは複数のチャネルを同時に用いて通信を行うものであるとする。ここで、無線装置１０ａ〜１０ｎは、少なくとも監視対象無線装置の通信で用いられるチャネル数と同じ数だけ用意されているとする。
【００１６】
無線装置１０ａ〜１０ｎは、無線部１１、時刻情報管理部１２、ログ作成部１３（作成部）、及び汎用ポート１４を備える。これら無線装置１０ａ〜１０ｎは、複数のチャネルを介して行われる監視対象無線装置の通信の内容（データ）をチャネル毎に受信し、受信したチャネルの通信状況を示すログを、データを受信した時刻を示すタイムスタンプ（時刻情報）を付して出力する。
【００１７】
無線部１１は、監視対象無線装置で行われる複数のチャネルを介した通信のうち、何れか１つのチャネルを介して通信されるデータを受信する。無線装置１０ａ〜１０ｎの各々に設けられる無線部１１が、何れのチャネルを介して通信されるデータを受信するかは、例えばログ収集装置２０によって設定される。尚、無線装置１０ａ〜１０ｎにチャネル切り替えのスイッチ（例えば、ディップスイッチ等）を設けることで、ユーザが手動で設定することも可能である。
【００１８】
時刻情報管理部１２は、定期的に入力される同期信号ＳＹに基づいて上記のログに付すタイムスタンプの管理を行う。具体的に、時刻情報管理部１２は、時間を計時するタイマ（図示省略）を備えており、同期信号ＳＹが入力された場合にタイマをリセットする。これにより、無線装置１０ａ〜１０ｎの各々の時刻ずれが補正されて、タイムスタンプの精度が管理される。また、無線装置１０ａ〜１０ｎの各々の時刻ずれが補正されることによって、無線装置１０ａ〜１０ｎの各々の時刻が高い精度で同期することになる。
【００１９】
ここで、上記の同期信号ＳＹが入力される頻度は、無線装置１０ａ〜１０ｎの各々に設けられる時刻情報管理部１２のタイマの精度、及び必要となる無線装置１０ａ〜１０ｎ間の同期精度に応じて決定される。言い換えれば、キャプチャ対象となる通信プロトコルに依存して決定される無線装置１０ａ〜１０ｎ間の同期精度に応じて決定される。例えば、必要となる無線装置１０ａ〜１０ｎ間の同期精度が１ｍｓｅｃ程度であれば、同期信号ＳＹは無線装置１０ａ〜１０ｎの各々に対して１分に１回程度の頻度で入力される。
【００２０】
尚、上記の同期信号ＳＹは無線通信ログ収集システム１の外部から入力されるものであってもよく、無線通信ログ収集システム１の内部で生成されるものであってもよい。無線通信ログ収集システム１の内部で同期信号ＳＹが生成される場合には、無線装置１０ａ〜１０ｎの何れか１つ、又はログ収集装置２０によって生成されるのが望ましい。無線装置１０ａ〜１０ｎの何れか１つによって同期信号ＳＹが生成される場合には、この無線装置から他の無線装置に対して同期信号ＳＹが出力される形態になる。また、ログ収集装置２０が同期信号ＳＹによって同期信号ＳＹが生成される場合には、ログ収集装置２０から無線装置１０ａ〜１０ｎに対して同期信号ＳＹが出力される形態になる。以下の説明では、無線装置１０ａによって同期信号ＳＹが生成されるものとする。
【００２１】
ログ作成部１３は、無線部１１で受信されたデータを用いて無線部１１で受信されるチャネルの通信状況を示すログを作成する。ここで、ログ作成部１３は、時刻情報管理部１２で管理される時刻を用いて、無線部１１でデータが受信された時刻を示すタイムスタンプが付されたログを作成する。図２は、ログ作成部１３で作成されるログのフォーマットの一例を示す図である。
【００２２】
図２に示す通り、ログ作成部１３で作成されるログは５つのフィールドＦ１〜Ｆ５からなる。フィールドＦ１は、上記のタイムスタンプが格納されるフィールドである。フィールドＦ２は、無線部１１で受信されるチャネルを示す情報が格納されるフィールドである。フィールドＦ３は、通信部１１で行われる通信の通信品質に関する情報（例えば、感度や受信レベル等を示す情報）が格納されるフィールドである。フィールドＦ４は通信部１１で受信されたデータのデータ長を示す情報が格納されるフィールドであり、フィールドＦ５は通信部１１で受信されたデータが格納されるフィールドである。
【００２３】
汎用ポート１４は、無線装置１０ａ〜１０ｎと通信バスＢとを接続し、通信パスＢを介したログ収集装置２０との間の通信を実現するものである。ここで、通信バスＢとしては、例えばＵＳＢ（Universal Serial Bus）等のシリアルバス、或いはイーサネット（登録商標）等のネットワークを用いることができる。通信バスＢがＵＳＢである場合には汎用ポート１４としてＵＳＢインターフェイスが用いられ、通信バスＢがイーサネット（登録商標）である場合には汎用ポート１４としてＮＩＣ（Network Interface Card）が用いられる。
【００２４】
ログ収集装置２０は、制御部２１、ログ保存部２２、ログ表示部２３、及び汎用ポート２４を備えており、通信バスＢを介して無線装置１０ａ〜１０ｎを制御するとともに、無線装置１０ａ〜１０ｎの各々で作成されるログを収集して保存し、ユーザの指示に応じて保存したログを表示する。制御部２１は、ログ収集装置２０の動作を統括して制御するとともに、ユーザの指示に応じて無線装置１０ａ〜１０ｎを制御する。例えば、無線装置１０ａ〜１０ｎの各々が受信するチャネルの制御、無線装置１０ａ〜１０ｎの各々で作成されたログの送信先の制御等の各種制御を行う。
【００２５】
ログ保存部２２は、無線装置１０ａ〜１０ｎの各々から通信バスＢを介して送信されてくるログを収集して保存する。このログ保存部２２は、例えばハードディスク等の磁気記憶装置や半導体メモリを用いて実現される。ログ表示部２３は、液晶表示装置等の表示装置を備えており、ユーザの指示に基づいてログ保存部２２に保存されたログを読み出して表示装置に表示する。このとき、ユーザの指示に応じて、ログの各々に付されたタイムスタンプの順にログを表示することも可能である。汎用ポート２４は、無線装置１０ａ〜１０ｎに設けられる汎用ポート１４と同様のものである。尚、以上のログ収集装置２０は、例えばパーソナルコンピュータ等によって実現することが可能である。
【００２６】
次に、上記構成における無線通信ログ収集システム１の動作について説明する。図３は、本発明の一実施形態による無線通信ログ収集システム及び無線装置の動作を示すタイミングチャートである。ユーザの指示によって無線通信ログ収集システム１の動作が開始されると、まず無線装置１０ａ〜１０ｎの初期設定を行うための制御信号Ｃ１が、制御部２１の制御の下で、ログ収集装置２０から通信バスＢを介して無線装置１０ａ〜１０ｎの各々に送信される。
【００２７】
この制御信号Ｃ１が入力されると、無線装置１０ａ〜１０ｎの各々で、無線部１１で受信するチャネルの設定が行われる。例えば、監視対象無線装置が第１〜第ｎチャネルを介して通信を行う場合には、無線装置１０ａが第１チャネルを受信し、無線装置１０ｂが第２チャネルを受信し、…、無線装置１０ｎが第ｎチャネルを受信するように無線装置１０ａ〜１０ｎの各々で設定が行われる。また、上記の制御信号Ｃ１に基づいて、無線装置１０ａ〜１０ｎの各々で作成されたログの送信先の設定等も行われる。
【００２８】
以上の初期設定が終了すると、制御部２１の制御の下で、ログ収集装置２０から通信バスＢを介して無線装置１０ａに対し、同期制御信号Ｃ２が出力される。この同期制御信号Ｃ２は、無線装置１０ａに対して同期信号ＳＹを強制的に出力させる制御信号である。この同期制御信号Ｃ２が入力されると、無線装置１０ａから同期信号ＳＹが出力されて、他の無線装置１０ｂ〜１０ｎにそれぞれ入力される。すると、無線装置１０ａ〜１０ｎの各々に設けられた時刻情報管理部１２のタイマがほぼ同時にリセットされ、これにより無線装置１０ａ〜１０ｎの各々の時刻が高い精度（例えば、１ｍｓｅｃ以上の精度で）で同期する。
【００２９】
次に、監視対象無線装置の通信状況を示すログの収集開始を指示する制御信号Ｃ３が、制御部２１の制御の下で、ログ収集装置２０から通信バスＢを介して無線装置１０ａ〜１０ｎに対してそれぞれ出力される。かかる制御信号Ｃ３が入力されると、監視対象無線装置の複数のチャネルを介した通信されるデータのうち、初期設定で設定されたチャネルを介して通信されるデータが無線装置１０ａ〜１０ｎの無線部１１でそれぞれ受信される。図３中に示す例では、無線装置１０ａ，１０ｂの各々において、符号ｔ１１，ｔ２１で指し示すタイミングでデータが受信されている。
【００３０】
無線部１１でデータが受信されると、受信されたデータが無線部１１からログ作成部１３に出力されるとともに、そのデータが受信された時刻を示すタイムスタンプが時刻情報管理部１２からログ作成部１３に出力される。尚、無線部１１からは受信されたデータのみならず、設定されるチャネルを示す情報、通信品質を示す情報、及び受信したデータのデータ長を示すデータも出力される。
【００３１】
以上のデータ、タイムスタンプ、及び各種の情報が入力されると、ログ作成部１３において図２に示すフォーマットのログ、即ちタイムスタンプが付されたログが作成される。図３に示す例では、無線装置１０ａ，１０ｂの各々において、符号ｔ１２，ｔ２２で指し示すタイミングでログが作成されている。作成されたログは、汎用ポート１４を介して通信ケーブルＢを介してログ収集装置２０に向けて送信される。図３に示す例では、無線装置１０ａからログ収集装置２０に向けてログＬ１が送信され、無線装置１０ｂからログ収集装置２０に向けてログＬ２が送信されている。以上の動作と同様の動作が、無線装置１０ａ〜１０ｎでそれぞれ個別に行われる。
【００３２】
無線装置１０ａ〜１０ｎから送信されたログはログ収集装置２０で受信され、汎用ポート２４を介して収集されてログ保存部２２に順次保存される。以上の動作が繰り返されることにより、監視対象無線装置通信の各チャネル毎の通信状況を示すログが順次ログ収集装置２０に収集されて保存される。尚、以上の動作が行われている間、無線装置１０ａから他の無線装置１０ｂ〜１０ｎに対して定期的（例えば、１分間隔）に同期信号が出力される。これにより、無線装置１０ａ〜１０ｎは高い精度で同期がとれた状態が維持される。
【００３３】
ログの収集が終了してユーザによってログの表示指示が行われると、ログ収集装置２０のログ表示部２３によってログ保存部２２に保存されたログが読み出されてログ収集装置２０に設けられた不図示の表示装置に表示される。かかる表示がなされている状態で、ユーザがログの受信時刻を基準とした並び替え指示を行うと、ログ表示部２３は表示部に表示されているログを、ログの各々に付されているタイムスタンプ順に並び替える処理を行う。ログ表示部２３は、ログの収集が終了してから表示するものに限られるものではなく、ログの収集中に表示装置に表示するものでも良い。この場合、ログ表示部２３はタイムスタンプ順に並べ替えながらログを表示装置に表示する。
【００３４】
ここで、ログに付されているタイムスタンプは、無線装置１０ａ〜１０ｎの各々でデータが受信された時刻を示すものであり、無線装置１０ａ〜１０ｎの各々から送信されたログが、ログ収集装置２０に受信された時刻を示すものではない。このため、データが無線装置１０ａ〜１０ｎで受信されてからログ収集装置２０に受信されるまでの間に行われる処理時間や通信バスＢで生ずる遅延の影響を排除することができ、タイムスタンプ順に並び替えて表示されたログは時系列に正確なものである。
【００３５】
従って、監視対象無線装置が、例えばＦＨＳＳのように複数のチャネルを切り替えながら通信を行うものであっても、或いは複数のチャネルを同時に用いて通信を行うものであっても順序を維持しながら正確なログを収集することができる。しかも、同期信号ＳＹによって定期的に無線装置１０ａ〜１０ｎの時刻を高い精度で同期させているため、無線装置１０ａ〜１０ｎの１つ又は複数の時刻のずれが生じても何ら問題はない。以上の通り、本実施形態では、時系列に正確であって複数チャネルを介して行われる通信の通信状況を示す必要十分なログを収集することができる。
【００３６】
ところで、近年においては、複数の無線規格を組み合わせた無線システムの構築も行われている。これは、各無線方式の特徴（高速性に優れるもの、省電力性に優れるもの、信頼性に優れるもの等）を生かして、それらを組み合わせることにより、無線システム全体として性能を向上させ、或いは利便性を高めるためである。例えば、無線システムの末端における無線装置はバッテリ駆動をさせる必要があるために省電力性に優れるものを用いる一方で、無線システムの中央における無線装置は通信速度を高めるために高速性に優れるものを用いるといった具合である。
【００３７】
かかる無線システムのログを一括して取得・管理するのは、従来の無線通信ログ収集システム単体では困難であり、複数の無線規格毎に無線通信ログ収集システムを用意する必要がある。しかしながら、複数の無線通信ログ収集システムを単に並べただけでは、システム間の同期を取ることが困難であり、各々の無線通信ログ収集システムで収集したログを統合する際に、ログが取得されたタイミングを正確に再現できない可能性がある。
【００３８】
このような無線システムのログを一括で取得するために、本発明を適用することができる。具体的には、無線システムで用いられる複数の無線方式に対応した無線装置を、図１に示す無線装置１０ａ〜１０ｎとして用いればよい。例えば、IEEE802.15.4等の省電力無線規格に対応した無線装置を無線装置１０ａ，１０ｂとして用い、IEEE802.11g等の高速無線規格に対応した無線装置を無線装置１０ｎとして用いる。ここで、無線装置１０ａ，１０ｂは、省電力無線規格で用いられる複数のチャネルのうちの異なるチャネルを介して通信されるデータを受信するように設定する。
【００３９】
以上の無線通信ログ収集システムにおいても、データが受信された時刻を示すタイムスタンプが付されたログが無線装置１０ａ〜１０ｎの各々で生成される。このため、複数の無線通信規格が混在している場合であっても、時系列に正確であって複数チャネルを介して行われる通信の通信状況を示す必要十分なログを収集することができる。
【００４０】
以上、本発明の実施形態による無線通信ログ収集システム及び無線装置について説明したが、本発明は上述した実施形態に制限されることなく、本発明の範囲内で自由に変更が可能である。例えば、上記実施形態では、無線装置１０ａ〜１０ｎとログ収集装置２０とが１本の通信バスＢを介して接続された所謂バス型の接続である場合を例に挙げて説明した。しかしながら、本発明は、無線装置１０ａ〜１０ｎの各々とログ収集装置２０とが１対１で接続される所謂スター型の接続の場合にも適用可能であり、種々の接続形態に適用可能である。
【００４１】
また、上記実施形態では、図２に示すフォーマットのログが無線装置１０ａ〜１０ｎの各々で作成される例について説明したが、無線装置１０ａ〜１０ｎの各々で作成されるログのフォーマットは図２に示すものには制限されない。作成されるログは、少なくともタイムスタンプと無線部１１で受信されたデータとが含まれるフォーマットであれば良い。
【００４２】
更に、上記実施形態では、ログ収集装置２０がログの収集を行う前に、無線装置１０ａ〜１０ｎの各々に対して初期設定を行うための制御信号Ｃ１を出力する例について説明した。しかしながら、かかる初期設定が予め無線装置１０ａ〜１０ｎの各々で行われており、改めて初期設定を行う必要がない場合には、省略することができる。
【００４３】
また、上記実施形態において、無線通信ログシステム１は、上記の同期信号ＳＹを発信するための機能ブロック、又は、この機能ブロックを実行する同期信号発信手段をシステム中に有するものでもよい。また、無線通信ログシステム１は、上記の同期信号ＳＹを無線装置、ログ収集装置、同期信号発信手段から発信させるためのトリガ信号をオペレータが入力するためのボタン入力手段等の同期指示入力手段を有するものでもよい。この場合、無線装置、ログ収集装置、同期信号発信手段は、同期指示入力手段から入力されるトリガ信号に基づき、同期信号ＳＹを発信する。
【符号の説明】
【００４４】
１                無線通信ログ収集システム
１０ａ〜１０ｎ    無線装置
１１              無線部
１２              時刻情報管理部
１３              ログ作成部
２０              ログ収集装置
ＳＹ              同期信号
【図１】
2010193283.tif 000003
【図２】
2010193283.tif 000004
【図３】
2010193283.tif 000005